(57)【特許請求の範囲】
【請求項１】
ケースと、ケース内に配装された記録媒体駆動用のスピンドルモータ部と、そのスピンドルモータ部の回転部に固定されて回転駆動される記録媒体を有してなるカートリッジであって、
前記スピンドルモータ部は、その非回転部において、衝撃吸収性及び復元性を有する保持部を介してケース内に保持されると共に、ケースの外部から軸心方向の押込力を受け得る被押込部と、その被押込部に対し軸心方向逆側に位置して外部の所定位置により受止され得る被受止部を、非回転部に有してなり、
ケースが外部からスピンドルモータ部の軸心方向に支持された状態で前記被押込部が外部から軸心方向の押込を受けることにより、前記保持部が変形して被受止部を含むスピンドルモータ部がケースに対し軸心方向に変位し、その被受止部が外部の所定位置により軸心方向に受止されてスピンドルモータ部及びその回転部に固定された記録媒体が外部の所定位置に対し位置決めされ、その状態で被押込部と被受止部においてスピンドルモータ部の非回転部が挟圧保持され得、被押込部に対する前記押込の解除により、前記保持部が復元して被受止部を含むスピンドルモータ部がケースに対し軸心方向における原位置に復帰するものであることを特徴とする記録媒体カートリッジ。
【請求項２】
回転部に記録媒体が固定されたスピンドルモータ部が衝撃吸収性及び復元性を有する保持部を介してケース内に保持されてなる記録媒体カートリッジを受容する装置であって、
受容した記録媒体カートリッジのケースを前記スピンドルモータ部の軸心方向に支持し得る支持部と、
受容した記録媒体カートリッジにおけるスピンドルモータ部の非回転部の軸心方向への押込及び押込位置から原位置への後退が可能な押込部と、
そのスピンドルモータ部の非回転部のうち押込部により押し込まれる部分に対し軸心方向逆側に位置する部分を受止する受止部を有してなり、
前記支持部によりケースを前記スピンドルモータ部の軸心方向に支持した記録媒体カートリッジにおけるスピンドルモータ部の非回転部を前記押込部により軸心方向に押し込むことによって、前記保持部が変形してケースに対し軸心方向に変位したスピンドルモータ部の非回転部を受止部が軸心方向に受止してスピンドルモータ部を受止部に対し位置決めし、その状態で押込部と受止部の間にスピンドルモータ部の非回転部を挟圧保持し得るものであることを特徴とする受容装置。
【請求項３】
記録媒体カートリッジとその記録媒体カートリッジを受容する受容装置を有してなる記録媒体駆動装置であって、
前記記録媒体カートリッジは、
ケースと、ケース内に配装された記録媒体駆動用のスピンドルモータ部と、そのスピンドルモータ部の回転部に固定されて回転駆動される記録媒体を有してなり、
前記スピンドルモータ部は、その非回転部において、衝撃吸収性及び復元性を有する保持部を介してケース内に保持されると共に、ケースの外部から軸心方向の押込を受け得る被押込部と、その被押込部に対し軸心方向逆側に位置して受容装置の受止部により受止され得る被受止部を、非回転部に有するものであり、
前記受容装置は、受容した記録媒体カートリッジのケースをスピンドルモータ部の軸心方向に支持し得る支持部と、受容した記録媒体カートリッジにおける前記被押込部の軸心方向への押込及び押込位置から原位置への後退が可能な押込部と、前記被受止部を受止する受止部を有するものであり、
記録媒体カートリッジ受容装置に受容されて前記支持部によりケースがスピンドルモータ部の軸心方向に支持された記録媒体カートリッジにおけるスピンドルモータ部の被押込部が前記押込部により軸心方向に押し込まれることにより、保持部が変形して被受止部を含むスピンドルモータ部がケースに対し軸心方向に変位し、その被受止部が受止部により軸心方向に受止されてスピンドルモータ部が受止部に対し位置決めされ、その状態で押込部と受止部の間にスピンドルモータ部の非回転部が挟圧保持され得、被押込部に対する前記押込の解除により、前記保持部が復元して被受止部を含むスピンドルモータ部がケースに対し軸心方向における原位置に復帰するものであることを特徴とする記録媒体駆動装置。
【発明の詳細な説明】
【０００１】
【発明の属する技術分野】
本発明は、回転部に記録媒体が固定されたスピンドルモータを有する記録媒体カートリッジ、そのカートリッジを受容する受容装置、及び記録媒体カートリッジと受容装置を有してなる記録媒体駆動装置に関する。
【０００２】
【従来の技術及び発明が解決しようとする課題】
回転部に記録媒体が固定されたスピンドルモータをケース内に有してなる記録媒体カートリッジ、例えばリムーバブルタイプのハードディスクのカートリッジ等は、読み書きヘッドを備えたカートリッジ受容装置に受容された状態で、電源に接続されてスピンドルモータが駆動されると共にその受容装置の読み書きヘッドにより記録媒体に対する読み書きが行われる。
【０００３】
このような記録媒体カートリッジは、受容装置から取り外して持ち歩くことができ、複数のコンピュータ等に使用することができるという利点を有する反面、持ち歩かれた場合のように単独で取り扱われた場合に、落としたり何かにぶつけたりして、その際の衝撃により内蔵するスピンドルモータが損傷を受け、記録媒体カートリッジが故障することとなり易い。
【０００４】
本発明は、従来技術に存した上記のような問題点に鑑み行われたものであって、その目的とするところは、記録媒体カートリッジが単独で取り扱われる場合におけるスピンドルモータの耐衝撃性に優れると共に、記録媒体を回転駆動する場合のスピンドルモータ及びその回転部に固定された記録媒体の位置決めを精度良く行い得る、記録媒体カートリッジ、そのカートリッジを受容する受容装置、及び記録媒体カートリッジと受容装置を有してなる記録媒体駆動装置を提供することにある。
【０００５】
【課題を解決するための手段】
本発明の記録媒体カートリッジは、
ケースと、ケース内に配装された記録媒体駆動用のスピンドルモータ部と、そのスピンドルモータ部の回転部に固定されて回転駆動される記録媒体を有してなるカートリッジであって、
前記スピンドルモータ部は、その非回転部において、衝撃吸収性及び復元性を有する保持部を介してケース内に保持されると共に、ケースの外部から軸心方向の押込力を受け得る被押込部と、その被押込部に対し軸心方向逆側に位置して外部の所定位置により受止され得る被受止部を、非回転部に有してなり、
ケースが外部からスピンドルモータ部の軸心方向に支持された状態で前記被押込部が外部から軸心方向の押込を受けることにより、前記保持部が変形して被受止部を含むスピンドルモータ部がケースに対し軸心方向に変位し、その被受止部が外部の所定位置により軸心方向に受止されてスピンドルモータ部及びその回転部に固定された記録媒体が外部の所定位置に対し位置決めされ、その状態で被押込部と被受止部においてスピンドルモータ部の非回転部が挟圧保持され得、被押込部に対する前記押込の解除により、前記保持部が復元して被受止部を含むスピンドルモータ部がケースに対し軸心方向における原位置に復帰するものであることを特徴とする（請求項１）。
【０００６】
本発明の受容装置は、
回転部に記録媒体が固定されたスピンドルモータ部が衝撃吸収性及び復元性を有する保持部を介してケース内に保持されてなる記録媒体カートリッジを受容する装置であって、
受容した記録媒体カートリッジのケースを前記スピンドルモータ部の軸心方向に支持し得る支持部と、
受容した記録媒体カートリッジにおけるスピンドルモータ部の非回転部の軸心方向への押込及び押込位置から原位置への後退が可能な押込部と、
そのスピンドルモータ部の非回転部のうち押込部により押し込まれる部分に対し軸心方向逆側に位置する部分を受止する受止部を有してなり、
前記支持部によりケースを前記スピンドルモータ部の軸心方向に支持した記録媒体カートリッジにおけるスピンドルモータ部の非回転部を前記押込部により軸心方向に押し込むことによって、前記保持部が変形してケースに対し軸心方向に変位したスピンドルモータ部の非回転部を受止部が軸心方向に受止してスピンドルモータ部を受止部に対し位置決めし、その状態で押込部と受止部の間にスピンドルモータ部の非回転部を挟圧保持し得るものであることを特徴とする（請求項２）。
【０００７】
本発明の記録媒体駆動装置は、
記録媒体カートリッジとその記録媒体カートリッジを受容する受容装置を有してなる記録媒体駆動装置であって、
前記記録媒体カートリッジは、
ケースと、ケース内に配装された記録媒体駆動用のスピンドルモータ部と、そのスピンドルモータ部の回転部に固定されて回転駆動される記録媒体を有してなり、
前記スピンドルモータ部は、その非回転部において、衝撃吸収性及び復元性を有する保持部を介してケース内に保持されると共に、ケースの外部から軸心方向の押込を受け得る被押込部と、その被押込部に対し軸心方向逆側に位置して受容装置の受止部により受止され得る被受止部を、非回転部に有するものであり、
前記受容装置は、受容した記録媒体カートリッジのケースをスピンドルモータ部の軸心方向に支持し得る支持部と、受容した記録媒体カートリッジにおける前記被押込部の軸心方向への押込及び押込位置から原位置への後退が可能な押込部と、前記被受止部を受止する受止部を有するものであり、
記録媒体カートリッジ受容装置に受容されて前記支持部によりケースがスピンドルモータ部の軸心方向に支持された記録媒体カートリッジにおけるスピンドルモータ部の被押込部が前記押込部により軸心方向に押し込まれることにより、保持部が変形して被受止部を含むスピンドルモータ部がケースに対し軸心方向に変位し、その被受止部が受止部により軸心方向に受止されてスピンドルモータ部が受止部に対し位置決めされ、その状態で押込部と受止部の間にスピンドルモータ部の非回転部が挟圧保持され得、被押込部に対する前記押込の解除により、前記保持部が復元して被受止部を含むスピンドルモータ部がケースに対し軸心方向における原位置に復帰するものであることを特徴とする（請求項３）。
【０００８】
本発明においては、回転部に記録媒体が固定されたスピンドルモータ部が、衝撃吸収性及び復元性を有する保持部を介してケース内に保持されているので、記録媒体カートリッジを受容装置から取り外して持ち運ぶ場合等、記録媒体カートリッジが単独で取り扱われる場合における前記スピンドルモータ部の耐衝撃性に優れる。
【０００９】
記録媒体カートリッジを受容装置に受容した場合、受容装置の支持部により記録媒体カートリッジのケースをスピンドルモータ部の軸心方向に支持し、記録媒体カートリッジにおけるスピンドルモータ部の被押込部を受容装置の押込部により軸心方向に押し込むことにより、保持部が変形してスピンドルモータ部がケースに対し軸心方向に変位する。それにより、スピンドルモータ部の被受止部が受容装置の受止部によって軸心方向に受止され、スピンドルモータ部が受容装置の受止部に対し位置決めされると共にそのスピンドルモータ部の回転部に固定された記録媒体が受止部に対し一定位置をとる。その状態で、押込部と受止部の間に、被押込部と被受止部において、スピンドルモータ部の非回転部が挟圧保持される。
【００１０】
スピンドルモータ部の被押込部に対する前記押込の解除により、変形していた前記保持部が復元して被受止部を含むスピンドルモータ部がケースに対し軸心方向における原位置に復帰し、スピンドルモータ部が、衝撃吸収性及び復元性を有する保持部を介してケース内に保持された状態に戻る。
【００１１】
スピンドルモータ部というのは、通常の意味でのスピンドルモータのみならず、スピンドルモータの非回転部に剛的に結合した部分を含む。本発明におけるスピンドルモータとしては、ブラシレスＤＣモータが好適である。
【００１２】
スピンドルモータ部の回転部（通常の場合はロータハブ）に、記録媒体が固定され、スピンドルモータ部によって回転駆動される。記録媒体は、回転部に永久固定されたものであることを必ずしも要さず、着脱可能であってよい。記録媒体としては、ハードディスク（リムーバブルタイプのハードディスク）、高容量フロッピーディスク、光磁気ディスク、ＤＶＤ−ＲＡＭ等を適宜採用し得る。
【００１３】
スピンドルモータ部は、その非回転部において、カートリッジのケース内に保持されており、その保持は、衝撃吸収性及び復元性を有する保持部を介して行われる。このような保持部としては、遅延弾性的挙動又は弾性的挙動を示す物質又は装置を利用することができる。その具体例としては、合成ゴムや天然ゴム等のゴム状弾性を示す物質、流体を利用したダンパ、コイルばね等のばね等を挙げることができる。
【００１４】
保持部によるスピンドルモータ部の保持を、ケースに対するスピンドルモータ部の変位の許容量が、軸心方向に対しては比較的大きく、軸心方向に直交する方向に対しては比較的小さいように行うと、衝撃吸収の要請を満足しつつ、スピンドルモータ部を被押込部における軸心方向押込により位置決めする際に、軸心方向に直交する方向における位置決めを確実にすると共に、軸心方向におけるスピンドルモータ部の十分な変位を可能にすることができる。
【００１５】
スピンドルモータ部は、その非回転部に外部から軸心方向の押込を受け得る被押込部と、その被押込部に対し軸心方向逆側に位置する被受止部を非回転部に有する。被押込部は、別部材を介して外部からの押込を受けるものであってもよい。スピンドルモータ部は軸固定タイプ、すなわち固定軸体に対し軸受部を介して回転部が回転自在に支持されてなるものであることが好ましく、被押込部及び被受止部は、その軸固定タイプのスピンドルモータ部における固定軸体の両端部若しくはその周縁部又は固定軸体の軸心線上若しくはその周縁部に位置することが好ましい。この場合被押込部を軸心方向に押し込む装置（受容装置における押込部）及び被受止部を軸心方向に受止する装置（受容装置における受止部）を可及的にコンパクトに構成しつつ被押込部の軸心方向押込及び被受止部の受止を正確に行い得るものとすることができる。また、被受止部はスピンドルモータ部の軸心方向における基部側に位置することが好ましい。スピンドルモータ部の回転部及び記録媒体がケース外部に突出若しくは露出したり或はケース外部に近くなることをなるべく避けるためである。
【００１６】
被受止部を含むスピンドルモータ部は、軸心方向に押し込まれていない原位置において記録媒体カートリッジケースの外へ突出又は露出せず、被押込部が軸心方向に十分な押込を受けることにより被受止部がケース外へ突出するものであることが好ましい。
【００１７】
受容装置の支持部は、受容した記録媒体カートリッジのケースをスピンドルモータ部の軸心方向及びそれに直交する２方向に支持し得るものとすることができる。
【００１８】
受容装置の押込部は、受容した記録媒体カートリッジにおけるスピンドルモータ部の被押込部の軸心方向への押込及び押込位置から原位置への後退が可能なものであり、例えば、受容する記録媒体カートリッジにおけるスピンドルモータ部の軸心方向に往復動可能なように支持されると共に、ソレノイドやモータ等を利用した駆動装置により押込及び後退の駆動が行われるものとすることができる。
【００１９】
スピンドルモータ部の被受止部を受容装置の受止部が軸心方向に受止することにより、スピンドルモータ部の軸心線の方向及び軸心線の位置（軸心方向に直交する方向における軸心線の位置）が受止部に対し位置決めされるものとするには、例えば、
スピンドルモータ部の被受止部に、（好ましくはスピンドルモータ部と同軸状に）凹部又は突部を有すると共に、受容装置の受止部に、それと軸心方向に嵌合し得る突部又は凹部を有し、それらの嵌合によりスピンドルモータ部の軸心線の位置及び方向が受止部に対し規定されるものとしたり、
或いは、受容装置の受止部に、突部又は凹部と、位置決めされた場合のスピンドルモータ部の軸心線に垂直な受止面とを有すると共に、スピンドルモータ部の被受止部に、凹部又は突部と、軸心方向に垂直な面とを有し、被受止部の軸心方向に垂直な面が受止面に受止されて軸心線の方向が規定されると共に被受止部の突部又は凹部と嵌合して軸心線の位置が規定されるものとすることができる。
【００２０】
本発明の受容装置又は本発明の記録媒体駆動装置における受容装置は、受容する記録媒体カートリッジにおける記録媒体に対する読み書き装置又は読み取り装置を備えるものとするのが一般的である。読み書き装置又は読み取り装置としては、例えば、磁気ヘッドや光学ヘッド等の読み書きヘッド又は読み取りヘッドを、そのヘッドの位置決めを行うヘッド位置決め装置によって保持したものを用いることができる。この場合、スピンドルモータ部及びその回転部に固定された記録媒体が、受容装置の受止部に対し位置決めされ、押込部と受止部の間に（被押込部と被受止部において）スピンドルモータ部の非回転部が挟圧保持された後、ヘッド位置決め装置によって読み書きヘッド又は読み取りヘッドが所要の位置（通常、記録媒体の記録面上又はその近傍における所要の位置）に位置決めされる。また、一般には、記録媒体カートリッジのケースには、読み書きヘッド又は読み取りヘッドが出入りし得る開口部、又は開閉扉を備えた開口部を有するものとする。
【００２１】
スピンドルモータ部及び受容装置には、それぞれ、信号のやり取りやスピンドルモータ部への電力供給等を行う部分（非接触で行うものでもよい）を有するものとすることができる。すなわち、例えば、軸心方向の押込によりスピンドルモータ部の被受止部が受容装置の受止部によって軸心方向に受止されてスピンドルモータ部が受容装置の受止部に対し位置決めされた状態で接続状態となり、押込解除によるスピンドルモータ部の原位置復帰により接続が解除されるように構成されたコネクタや電気接点を、スピンドルモータ部と受容装置にそれぞれ設けることができる。
【００２２】
【発明の実施の形態】
本発明の実施の形態を、図面を参照しつつ説明する。
【００２３】
図面は何れも本発明の記録媒体駆動装置の実施の形態の一例としてのリムーバブルハードディスク駆動装置に関するものであって、リムーバブルハードディスクのカートリッジと、そのカートリッジを受容する受容装置からなる。
【００２４】
図１は、カートリッジが受容装置に受容されてスピンドルモータ部が位置決めされた状態の要部断面図、図２は、カートリッジが受容装置に受容されてスピンドルモータ部が位置決めされていない状態の要部断面図、図３はカートリッジの斜視図、図４は、カートリッジが受容装置に受容されてスピンドルモータ部が位置決めされた状態の断面図である。
【００２５】
カートリッジ１０のスピンドルモータ部１２におけるブラケット１４の中央開口部には、中央支持部材１６の下部が嵌合固定されている。ブラケット１４は、外周部に環状周壁部１４ａが立ち上げられ、その環状周壁部１４ａの上端にフランジ部１４ｂを有してなる。
【００２６】
中央支持部材１６における上下方向の中央嵌合孔に略円柱形状の固定軸体１８の基部が嵌合固定されており、中央支持部材１６の上部外周部に、ステータコイル２０が巻回されたステータコア２２が外嵌固定されている。中央支持部材１６の下部における中央嵌合孔の周囲は、下方突出の円環状の被受止部１６ａに形成されている。この被受止部１６ａは、軸心線に対し回転対称形状をなす。中央支持部材１６の外周側におけるブラケット１４の底面部には、ステータコイル２０の引き出し部が接続されたモータ側コネクタ２４が設けられている。
【００２７】
固定軸体１８に対し、上下玉軸受２６を介し、ロータハブ２８が同軸状に回転自在に支持されている。ロータハブ２８の下端外周部に位置する鍔状部２８ａの下側には環状のロータヨーク３０が固定され、そのロータヨーク３０の内周側に保持されたロータマグネット３２が、ステータコア２２の外周側に相対している。ロータハブ２８にはハードディスク３４が外嵌され、ロータハブ２８に固定されたクランプ部材３５と鍔状部２８ａの間に、ハードディスク３４の内周部が挟圧固定されている。
【００２８】
カートリッジケース１０ａの底板１０ａ１に、円形の保持開口部１０ａ１１が設けられ、その保持開口部１０ａ１１の内周部に、衝撃吸収性及び復元性を有する合成ゴム製の環状保持部材３６が固定されている。環状保持部材３６は、外方開口の溝状嵌合部３６ａとその上側に位置する断面Ｊ字形状部３６ｂからなり、その溝状嵌合部３６ａが前記保持開口部１０ａ１１の内周部に嵌合固定されている。
【００２９】
カートリッジケース１０ａの天板１０ａ２における保持開口部１０ａ１１の上方位置には、やや下方に凹んだ押込開口部１０ａ２１を有し、その押込開口部１０ａ２１の内周部に、衝撃吸収性及び復元性を有する合成ゴム製の円板状保持部材３８の溝状外周部３８ａが嵌合固定されている。
【００３０】
スピンドルモータ部１２のブラケット１４の環状周壁部１４ａが環状保持部材３６の内周側において径方向内向きに弾性的に支持され、ブラケット１４のフランジ部１４ｂが環状保持部材３６の断面Ｊ字形状部３６ｂの上側において上向きに弾性的に支持され、また固定軸体１８の上端面すなわち被押込部１８ａが円板状保持部材３８の下面側において下向きに弾性的に支持されることにより、スピンドルモータ部１２が保持されている。外力（重力を除く）が加わっていない場合、スピンドルモータ部１２は、被受止部１６ａがカートリッジケース１０ａの底板１０ａ１よりも下方へは突出せず、円板状保持部材３８がカートリッジケース１０ａの天板１０ａ２よりも上方へは突出しない状態で、カートリッジケース１０ａ内に保持される。スピンドルモータ部１２が、衝撃吸収性及び復元性を有する環状保持部材３６及び円板状保持部材３８を介してカートリッジケース１０ａ内に保持されているので、カートリッジ１０を受容装置５０から取り外して持ち運ぶ場合等、カートリッジ１０が単独で取り扱われる場合におけるスピンドルモータ部１２の耐衝撃性に優れる。
【００３１】
なお、カートリッジケース１０ａの側壁部には、開閉シャッタを備えたヘッド出入口４０を有する。
【００３２】
受容装置５０は、箱形状の装置ケース５０ａの側壁部に、シャッタ５２により開閉されるカートリッジ出入口５４を有する。シャッタ５２は内上方へ回動してカートリッジ出入口５４を開口する。
【００３３】
受容装置５０内には、カートリッジ出入口５４を通じて受容装置５０内に受容したカートリッジ１０の下部を一定位置に支持する支持部５６と、スピンドルモータ部１２の被受止部１６ａが上方からスピンドルモータ部１２の軸心方向に嵌合する円形凹部５８ａを備えた受止部５８と、モータ側コネクタ２４に接続してスピンドルモータ部１２に駆動電力を供給するための受容側コネクタ６０と、ヘッド位置決め装置６２に支持された読み書きヘッド６４と、先端部が下向き突出の押込部６６ａに形成され、駆動装置（図示せず）によって上下に駆動される押込部材６６が設けられている。
【００３４】
カートリッジ１０が受容装置５０に受容されて支持部５６によりカートリッジケース１０ａが一定位置に支持された状態（図２）で、押込部材６６を下向きに駆動して押込部６６ａを下降させ、円板状保持部材３８を介して被押込部１８ａである固定軸体１８の上端面を軸心方向下向きに押込む。すると、図１及び図４に示されるように環状保持部材３６の主に断面Ｊ字形状部３６ｂが変形してその軸心方向寸法が縮小し、円板状保持部材３８における主に溝状外周部３８ａの内周側部分が変形してそれよりも内側の部分が軸心方向下向きに変位すると共に、スピンドルモータ部１２がカートリッジケース１０ａに対し軸心方向下向きに変位し、被受止部１６ａが受止部５８に嵌合して軸心方向に受止される。それにより、スピンドルモータ部１２及びそのロータハブ２８に固定されたハードディスク３４が受容装置５０の受止部５８及び読み書きヘッド６４の位置に対し正確に位置決めされると共にモータ側コネクタ２４と受容側コネクタ６０が接続され、その状態で押込部６６ａと受止部５８の間にスピンドルモータ部１２の固定軸体１８及び中央支持部材１６が挟圧保持される。
【００３５】
この状態で、スピンドルモータ部１２を駆動してハードディスク３４を回転させると共に、ヘッド位置決め装置６２を作動させ、読み書きヘッド６４をヘッド出入口４０を介してカートリッジケース１０ａ内のハードディスク３４の記録面の近傍における所要の位置に移動させて位置決めすることにより、ハードディスク３４に対する読み書きを行なうことができる。
【００３６】
カートリッジ１０を受容装置５０から取り外す場合は、ヘッド位置決め装置６２を作動させて読み書きヘッド６４をカートリッジケース１０ａ外へ戻し、押込部材６６を上向きに駆動して押込部６６ａを上昇させ、円板状保持部材３８及び被押込部１８ａである固定軸体１８の上端面に対する押込みを解除する。すると、変形していた環状保持部材３６及び円板状保持部材３８が復元してスピンドルモータ部１２がカートリッジケース１０ａに対し軸心方向上方の原位置（図２）に復帰し、スピンドルモータ部１２が、衝撃吸収性及び復元性を有する保持部を介してカートリッジケース１０ａ内に保持された状態に戻ると共にモータ側コネクタ２４と受容側コネクタ６０の接続も解除される。
【００３７】
環状保持部材３６及び円板状保持部材３８は、軸心方向においては変形許容量が比較的大きく、軸心方向に直交する方向に対しては比較的小さいので、カートリッジケース１０ａに対するスピンドルモータ部１２の変位の許容量も、軸心方向に対しては比較的大きく、軸心方向に直交する方向に対しては比較的小さい。衝撃吸収の要請を満足しつつ、軸心方向に直交する方向におけるスピンドルモータ部１２の位置決めを確実にすると共に、軸心方向へのスピンドルモータ部１２の十分な変位が可能である。
【００３８】
なお、以上の実施の形態についての記述における上下位置関係は、単に図に基づいた説明の便宜のためのものであって、実際の使用状態等を限定するものではない。
【００３９】
【発明の効果】
本発明の記録媒体カートリッジ及び記録媒体駆動装置によれば、記録媒体カートリッジが単独で取り扱われる場合におけるスピンドルモータ部の耐衝撃性に優れる。
【００４０】
また本発明の記録媒体カートリッジ、受容装置、及び記録媒体駆動装置によれば、記録媒体を回転駆動する場合、記録媒体カートリッジのスピンドルモータ部及びその回転部に固定された記録媒体を、軸心方向押込により受容装置の受止部に対し位置決めし、その状態でスピンドルモータ部の非回転部を挟圧保持し得、スピンドルモータ部の回転部に固定された記録媒体を、その記録媒体についての読み書きヘッドの位置に対し、正確に位置決めすることができる。
【図面の簡単な説明】
【図１】カートリッジが受容装置に受容されてスピンドルモータ部が位置決めされた状態の要部断面図である。
【図２】カートリッジが受容装置に受容されてスピンドルモータ部が位置決めされていない状態の要部断面図である。
【図３】カートリッジの斜視図である。
【図４】カートリッジが受容装置に受容されてスピンドルモータ部が位置決めされた状態の断面図である。
【符号の説明】
１０ａ  カートリッジケース
１２    スピンドルモータ部
１４    ブラケット
１４ａ  環状周壁部
１４ｂ  フランジ部
１６ａ  被受止部
１８    固定軸体
１８ａ  被押込部
３６    環状保持部材
３８    円板状保持部材
５８    受止部
６６ａ  押込部
【図１】
0003676929.tif 000002
【図２】
0003676929.tif 000003
【図３】
0003676929.tif 000004
【図４】
0003676929.tif 000005